(57)【要約】【課題】ピットが深い場合でも容易にセンサのスイッチをメインテナンスできるエレベータを提供する。【解決手段】エレベータは、昇降路を昇降するカゴ室と、カウンターウエイトと、カゴ室とカウンターウエイトとを連結し、巻き上げ機に掛けまわされるロープと、カゴ室が最下階に位置する場合、カゴ室の屋根の上に作業員が立った時に作業員の手の届く範囲の昇降路の側壁に設置される複数のスイッチと、複数のスイッチをＯＮ／ＯＦＦする複数のカムを備え、カゴに固定されるストライカーと、を備える。【選択図】図３
2016013901.tif 000002
【特許請求の範囲】
【請求項１】
昇降路を昇降するカゴ室と、
カウンターウエイトと、
前記カゴ室と前記カウンターウエイトとを連結し、巻き上げ機に掛けまわされるロープと、
前記カゴ室が最下階に位置する場合、前記カゴ室の屋根の上に作業員が立った時に前記作業員の手の届く範囲の前記昇降路の側壁に設置され、前記カゴ室の運行の異常を検知する複数のスイッチと、
前記複数のスイッチをＯＮ／ＯＦＦする複数のカムを備え、前記カゴ室に固定されるストライカーと、
を備えるエレベータ。
【請求項２】
前記ストライカーは、
前記カゴ室の昇降方向に長い第１のカムと、
前記カゴ室の昇降方向に長く、前記第１のカムに対して平行に設置され、前記第１のカムより長さが長い第２のカムと、
を備える請求項１記載のエレベータ。
【請求項３】
前記ストライカーの前記第２のカムは、
前記カゴ室の速度検知タイミングを検知する速度検出スイッチをＯＮ／ＯＦＦする請求項２記載のエレベータ。
【請求項４】
前記ストライカーの前記第１のカムは、
前記カゴ室の位置の異常を検知する最終スイッチをＯＮ／ＯＦＦする請求項３記載のエレベータ。
【請求項５】
前記ストライカーは、
点検時にカゴ室の位置の異常を検知する点検時リミットスイッチをＯＮ／ＯＦＦする第３のカムをさらに備える請求項４記載のエレベータ。
【請求項６】
前記ストライカーの前記第２のカムは、
速度検出スイッチのみをＯＮ／ＯＦＦする請求項５記載のエレベータ。
【発明の詳細な説明】
【技術分野】
【０００１】
本発明の実施形態は、エレベータに関する。
【背景技術】
【０００２】
エレベータにはエレベータの安全運行のための種々のセンサのスイッチ及びそのセンサのスイッチをＯＮ／ＯＦＦするストライカーが設置されている。
【０００３】
このセンサのスイッチのいくつかはカゴ室の昇降路の最下階付近の壁面に設置され、カゴ室に設けられるストライカーによってＯＮ／ＯＦＦされる。
【０００４】
従来これらのセンサのスイッチをメインテナンスする場合、昇降路の底部、すなわちピットに作業員が降り立ってメインテナンスしていた。
【０００５】
しかし、最近ではカゴ室の運行速度の上昇に従って、或いは建屋の構造によりより深いピットを有する昇降路が設置されるようになってきた。
【０００６】
従って、このような深いピットにおいては、作業員がピットに降り立った場合、センサのスイッチに作業員の手が届かない事態が生じていた。
【先行技術文献】
【特許文献】
【０００７】
【特許文献１】特開２０１２−２５４８６６号公報
【発明の概要】
【発明が解決しようとする課題】
【０００８】
従って、ピットが深い場合でも容易にセンサのスイッチをメインテナンスできるエレベータを提供することを目的とする。
【課題を解決するための手段】
【０００９】
上記の課題を解決するために、一実施形態は昇降路を昇降するカゴ室と、カウンターウエイトと、カゴ室とカウンターウエイトとを連結し、巻き上げ機に掛けまわされるロープと、カゴ室が最下階に位置する場合、カゴ室の屋根の上に作業員が立った時に作業員の手の届く範囲の昇降路の側壁に設置される複数のスイッチと、複数のスイッチをＯＮ／ＯＦＦする複数のカムを備え、カゴに固定されるストライカーと、を備えるエレベータを提供する。
【図面の簡単な説明】
【００１０】
【図１】エレベータの正面斜視図である。
【図２】ストライカーの外観斜視図である。
【図３】従来技術のストライカーと複数のスイッチとの位置関係を模式的に示す図である。
【図４】本実施形態のストライカーと複数のスイッチとの位置関係を模式的に示す図である。
【図５】第１の応用例に係るストライカーと複数のスイッチとの位置関係を模式的に示す図である。
【図６】第２の応用例に係るストライカーと複数のスイッチとの位置関係を模式的に示す図である。
【発明を実施するための形態】
【００１１】
以下、エレベータの一実施形態について、図面を用いて詳細に説明する。
【００１２】
本実施形態のエレベータの一実施形態は、昇降路を昇降するカゴ室と、カウンターウエイトと、カゴ室とカウンターウエイトとを連結し、巻き上げ機に掛けまわされるロープと、カゴ室が最下階に位置する場合、カゴ室の屋根の上に作業員が立った時に作業員の手の届く範囲の昇降路の側壁に設置される複数のスイッチと、複数のスイッチをＯＮ／ＯＦＦする複数のカムを備え、カゴに固定されるストライカーと、を備える。
【００１３】
図１は、本実施形態に係るエレベータ１００の正面斜視図である。図１に示すように、エレベータ１００は、カゴ室１０１と、カウンターウエイト１０２と、ロープ１０３と、巻き上げ機１０４と、を備える。
【００１４】
また、エレベータ１００は昇降路１１０の壁面にカゴ室１０１の運行の異常を検知する複数のスイッチ３０１と、カゴ室１０１に複数のスイッチ３０１（後述するスイッチ１ＬＳ、３ＬＳ、９ＬＳ、５ＬＳを複数のスイッチ３０１という。）をＯＮ／ＯＦＦするストライカー２０１と、を備える。
【００１５】
カゴ室１０１は、入り口ドアを備え、乗客を乗せて昇降路１１０内を昇降する。
【００１６】
ロープ１０３は、一端がカウンターウエイトに接続し、他端がカゴ室１０１の上部に接続し、巻き上げ機１０４に掛けまわされる。巻き上げ機１０４が駆動すると、カゴ室１０１は昇降路１１０の内部を昇降する。
【００１７】
複数のスイッチ３０１は、カゴ室１０１が最下階Ｆに位置する場合に、昇降路１１０の壁面であって、作業員Ｐがカゴ室１０１の屋根の上に立った場合に手が届く範囲内に設置される。
【００１８】
ストライカー２０１は、カゴ室１０１の外壁の複数のスイッチ３０１をＯＮ／ＯＦＦできる位置に設置される。
【００１９】
図２は、ストライカー２０１の外観斜視図である。図２に示すように、ストライカー２０１は、カゴ室１０１の昇降方向に長い第１のカム２０１Ａと、カゴ室１０１の昇降方向に長く、第１のカムより長さが長い第２のカム２０１Ｂと、第１のカム２０１Ａ及び第２のカム２０１Ｂをカゴ室に固定するための支持部材２０２と、を備える。
【００２０】
第１のカム２０１Ａと、第２のカム２０１Ｂとは、ほぼ平行に支持部材２０２に支持され、昇降方向の上下端部は昇降路１１０の壁面から離れる方向に反っている。第１のカム２０１Ａの高さと、第２のカム２０１Ｂの高さとはＯＮ／ＯＦＦするスイッチの位置によって定まる。
【００２１】
図３は、従来技術のストライカー２００と複数のスイッチ３０１との位置関係を模式的に示す図である。図３に示すように、従来技術のストライカー２００はカムが１本であり、４つのスイッチ１ＬＳ、３ＬＳ、９ＬＳ、及び５ＬＳをこの１本のカムによりＯＮ／ＯＦＦしていた。
【００２２】
４つのスイッチは、昇降路１１０の最下階Ｆ付近に、ピット１１０Ａの底部から上方へ最終スイッチ１ＬＳ、方向リミットスイッチ３ＬＳ、点検時リミットスイッチ９ＬＳ、及び速度検出スイッチ５ＬＳが順に一列に配置されていた。
【００２３】
最終スイッチ１ＬＳは、通常運行の場合はＯＦＦであり、この最終スイッチ１ＬＳがＯＮされるとエレベータ１００の制御部は異常と判定してカゴ室１０１を緊急停止させる。
【００２４】
方向リミットスイッチ３ＬＳは、通常の運行ではＯＦＦであり、この方向リミットスイッチ３ＬＳがＯＮする位置より下方にカゴ室１０１が位置しないように、エレベータ１００の制御部によって巻き上げ機１０４が制御される。方向リミットスイッチ３ＬＳがＯＮされるとエレベータ１００の制御部は異常と判定してカゴ室１０１を停止させる。
【００２５】
点検時リミットスイッチ９ＬＳは、ピット１１０Ａに作業員Ｐが下りて点検する際に使用されるスイッチである。点検時にこの点検時リミットスイッチ９ＬＳをＯＮする位置より下方、すなわちピット１１０Ａにいる作業員Ｐが危険にさらされる位置にカゴ室１０１が移動しないように、エレベータ１００の制御部によって巻き上げ機１０４が制御される。
【００２６】
点検時に点検時リミットスイッチ９ＬＳがＯＮされるとエレベータ１００の制御部は異常と判定してカゴ室１０１を停止させる。
【００２７】
速度検出スイッチ５ＬＳは、速度を検出するタイミングを検出するためのスイッチである。エレベータ１００の制御部は常時カゴ室１０１の速度を測定している。エレベータ１００の制御部はこの速度検出スイッチ５ＬＳがＯＮになったときの速度が閾値以上かを判定する。エレベータ１００の制御部は速度検出スイッチ５ＬＳがＯＮになったときの速度が閾値以上である場合、異常と判定してカゴ室１０１を停止させる。
【００２８】
従来技術の場合、カゴ室１０１が正常に最下階に停止すると、従来のストライカー２００のカムの下端から速度検出スイッチ５ＬＳまでの距離はＬ１である。この距離Ｌ１はカゴ室１０１の通常の運行速度に依存して定まる。
【００２９】
図４は、本実施形態のストライカー２０１と複数のスイッチ３０１との位置関係を模式的に示す図である。図４に示すように、本実施形態においては、複数のスイッチ３０１は、カゴ室１０１が最下階Ｆに位置する場合、少なくとも一部は作業員Ｐがカゴ室１０１の屋根の上に立った場合に手が届く範囲内、すなわち従来技術の複数のスイッチ３０１位置より上方に設置される。
【００３０】
具体的には、最下階Ｆにカゴ室１０１が位置した場合のカゴ室１０１の屋根付近に最終スイッチ１ＬＳ及び方向リミットスイッチ３ＬＳがピット１１０Ａの方向から順に縦一列に配置され、この列と平行に点検時リミットスイッチ９ＬＳ及び速度検出スイッチ５ＬＳがピット１１０Ａの方向から上方へ順に縦一列に配置される。
【００３１】
最終スイッチ１ＬＳと速度検出スイッチ５ＬＳとはピット１１０Ａの底部からの高さが同じ位置に配置される。
【００３２】
この場合、ストライカー２０１は、第１のカム２０１Ａが最終スイッチ１ＬＳ及び方向リミットスイッチ３ＬＳをＯＮ／ＯＦＦする位置に、第２のカム２０１Ｂが点検時リミットスイッチ９ＬＳ及び速度検出スイッチ５ＬＳをＯＮ／ＯＦＦする位置に、カゴ室１０１に設置される。
【００３３】
本実施形態の場合、カゴ室１０１が正常に最下階に停止すると、本実施形態のストライカー２０１の第２のカム２０１Ｂの下端から速度検出スイッチ５ＬＳまでの距離はＬ１である。よって、第１のカム２０１Ａの長さより第２のカム２０１Ｂの長さの方が長くなる。
【００３４】
以上述べたように、複数のスイッチ３０１が、作業員Ｐがカゴ室１０１の屋根の上に立った場合に手が届く範囲内に設置される。
【００３５】
従って、ピットが深い場合でも容易にセンサのスイッチをメインテナンスできるという効果がある。
【００３６】
また、ストライカー２０１は第１のカム２０１Ａ及び第２のカム２０１Ｂの複数のカムを有する。このため、複数のスイッチ３０１のＯＮ／ＯＦＦタイミングが従来技術に対して変更されることなく複数のスイッチ３０１を作業員Ｐがカゴ室１０１の屋根の上に立った場合に手が届く範囲内に設置されることが可能となる。
【００３７】
図５は、第１の応用例に係るストライカー２０１と複数のスイッチ３０１との位置関係を模式的に示す図である。図５に示すように、本応用例においては、カゴ室１０１が最下階Ｆに位置する場合、作業員Ｐがカゴ室１０１の屋根の上に立った場合に手が届く範囲内に最終スイッチ１ＬＳ、方向リミットスイッチ３ＬＳ及び点検時リミットスイッチ９ＬＳがピット１１０Ａの方向から順に縦一列に配置され、この列の横に速度検出スイッチ５ＬＳが配置される。
【００３８】
最終スイッチ１ＬＳと速度検出スイッチ５ＬＳとはピット１１０Ａの底部からの高さが同じ位置に配置される。
【００３９】
この場合、ストライカー２０１は、第１のカム２０１Ａが最終スイッチ１ＬＳ、方向リミットスイッチ３ＬＳ及び点検時リミットスイッチ９ＬＳをＯＮ／ＯＦＦする位置に、また第２のカム２０１Ｂが速度検出スイッチ５ＬＳをＯＮ／ＯＦＦする位置に、カゴ室１０１に設置される。
【００４０】
本応用例の場合、カゴ室１０１が正常に最下階に停止すると、本応用例のストライカー２０１の第２のカム２０１Ｂの下端から速度検出スイッチ５ＬＳまでの距離はＬ１である。第１のカム２０１Ａの長さより第２のカム２０１Ｂの長さの方が長くなる。
【００４１】
本応用例の場合、点検時リミットスイッチ９ＬＳが方向リミットスイッチ３ＬＳの上に位置するため、よりメインテナンスがやりやすくなるという効果がある。
【００４２】
図６は、第２の応用例に係るストライカー２０１と複数のスイッチ３０１との位置関係を模式的に示す図である。図６に示すように、本応用例においては、ストライカー２０１は、第１のカム２０１Ａと、第２のカム２０１Ｂと、第３のカム２０１Ｃと、を備える。
【００４３】
第３のカム２０１Ｃは、第１のカム２０１Ａ及び第２のカム２０１Ｂに平行に、カゴ室１０１の昇降方向に長く設けられる。第１のカム２０１Ａ、第２のカム２０１Ｂ及び第３のカム２０１Ｃは支持部材２０２に固定される。
【００４４】
本応用例においては、カゴ室１０１が最下階Ｆに位置する場合、作業員Ｐがカゴ室１０１の屋根の上に立った場合に手が届く範囲内に最終スイッチ１ＬＳ及び方向リミットスイッチ３ＬＳがピット１１０Ａの方向から上方へ順に縦一列に配置され、この列の横に速度検出スイッチ５ＬＳが、さらにその横に点検時リミットスイッチ９ＬＳが配置される。
【００４５】
最終スイッチ１ＬＳと速度検出スイッチ５ＬＳとはピット１１０Ａの底部からの高さが同じ位置に配置される。
【００４６】
この場合、ストライカー２０１は、第１のカム２０１Ａが最終スイッチ１ＬＳ及び方向リミットスイッチ３ＬＳを、第２のカム２０１Ｂが速度検出スイッチ５ＬＳを、第３のカム２０１Ｃが点検時リミットスイッチ９ＬＳを、それぞれＯＮ／ＯＦＦする位置にカゴ室１０１に設置される。
【００４７】
本応用例の場合、カゴ室１０１が正常に最下階に停止すると、本応用例のストライカー２０１の第２のカム２０１Ｂの下端から速度検出スイッチ５ＬＳまでの距離はＬ１である。第１のカム２０１Ａの長さより第２のカム２０１Ｂの長さの方が長くなる。
【００４８】
本応用例によれば、ストライカー２０１の全長をより短くでき、ストライカー２０１のメインテナンスも容易となるという効果がある。
【００４９】
以上のべたように、本実施形態のエレベータ１００は、複数のスイッチ３０１が、作業員Ｐがカゴ室１０１の屋根の上に立った場合に手が届く範囲内に設置され、第１のカム２０１Ａ及び第２のカム２０１Ｂの複数のカムを有するストライカー２０１によって複数のスイッチ３０１がＯＮ／ＯＦＦされる。
【００５０】
従って、ピットが深い場合でも容易にセンサのスイッチをメインテナンスできるという効果がある。
【００５１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１０１：カゴ室
１０２：カウンターウエイト
１０３：ロープ
１０４：巻き上げ機
１１０：昇降路
１１０Ａ：ピット
２０１：ストライカー
３０１：複数のスイッチ
【図１】
2016013901.tif 000003
【図２】
2016013901.tif 000004
【図３】
2016013901.tif 000005
【図４】
2016013901.tif 000006
【図５】
2016013901.tif 000007
【図６】
2016013901.tif 000008